(57)【要約】 【課題】複数の放送がそれらの番組情報を介して連携し合うことで、その一方の放送を基にそれに関連する他方の放送を受信できるようにする。 【解決手段】携帯電話装置１は、テレビ放送・ラジオ放送受信部２１を備え、中央制御部１１は、第１の放送（例えば、テレビ放送あるいはラジオ放送）の番組を示す番組情報を取得するほか、第２の放送（例えば、第１の放送がテレビ放送であればラジオ放送、第１の放送がラジオ放送であればテレビ放送）の番組を示す番組情報を取得し、第１の放送の番組を示す番組情報からキーワードを指定し、第２の放送の番組を示す番組情報の中から指定キーワードに該当する番組情報を抽出して、その番組の放送を受信する。 【選択図】  図２
2008227774.tif 000002
【特許請求の範囲】
【請求項１】
放送を受信するほか、その放送の番組を示す番組情報を取得可能な放送受信装置であって、
第１の放送の番組を示す番組情報を取得する第１の取得手段と、
第２の放送の番組を示す番組情報を取得する第２の取得手段と、
前記第１の取得手段で取得した番組情報からキーワードを指定する指定手段と、
この指定手段によって指定されたキーワードを参照し、前記第２の取得手段で取得した番組情報の中から当該キーワードに該当する番組情報を抽出する抽出手段と、
この抽出手段によって抽出された番組情報で示される番組の放送を受信するように放送受信の制御を行う受信制御手段と、
を具備したことを特徴とする放送受信装置。
【請求項２】
前記抽出手段によって抽出された番組情報で示される番組の放送を受信した場合に、この番組を出力する出力手段を更に設けた、
ことを特徴とする請求項１記載の放送受信装置。
【請求項３】
前記抽出手段によって抽出された番組情報で示される番組の放送を受信した場合に、この番組を記録する記録手段を更に設けた、
ことを特徴とする請求項１記載の放送受信装置。
【請求項４】
前記抽出手段によって抽出された番組情報に基づいて予約情報を生成する生成手段と、
この生成手段によって生成された予約情報を記憶する予約記憶手段と、
を更に設け、前記受信制御手段は、前記予約記憶手段に記憶されている予約情報に基づいてその予約日時に到達したことを検出した際に、当該予約情報で示される番組の放送の受信を指示する、
ようにしたことを特徴とする請求項１記載の放送受信装置。
【請求項５】
前記予約情報で示される番組の放送を受信した場合に、この番組を出力する出力手段を更に設けた、
ことを特徴とする請求項４記載の放送受信装置。
【請求項６】
前記予約情報で示される番組の放送を受信した場合に、この番組を記録する記録手段を更に設けた、
ことを特徴とする請求項４記載の放送受信装置。
【請求項７】
前記受信制御手段は、前記抽出手段によって抽出された番組情報のうち、現在放送中の番組を示す番組情報を特定してその番組の放送の受信を指示する、
ようにしたことを特徴とする請求項１記載の放送受信装置。
【請求項８】
前記受信制御手段は、前記抽出手段によって抽出された番組情報のうち、当該番組情報が示す放送番組の放送予定日時と現在日時とを比較することによって直近に放送予定の番組を示す番組情報を特定してその番組の放送の受信を指示する、
ようにしたことを特徴とする請求項１記載の放送受信装置。
【請求項９】
前記第１の取得手段、第２の取得手段のうち、少なくともそのいずれか一方は、放送の番組を示す番組情報を取得する際に、その放送信号に重畳されている当該番組情報を取得する、
ようにしたことを特徴とする請求項１記載の放送受信装置。
【請求項１０】
前記第１の取得手段、第２の取得手段のうち、少なくともそのいずれか一方は、放送の番組を示す番組情報を取得する際に、通信ネットワークを介して当該番組情報を受信取得する、
ようにしたことを特徴とする請求項１記載の放送受信装置。
【請求項１１】
前記指定手段は、前記第１の取得手段で取得した番組情報の中からユーザ操作に応じて任意のキーワードを指定する、
ようにしたことを特徴とする請求項１記載の放送受信装置。
【請求項１２】
前記第１の放送の番組を出力している状態において、この番組内のオブジェクトがユーザ操作によって選択された際に、前記指定手段は、当該選択オブジェクトに関連した番組情報を前記キーワードとして指定する、
ようにしたことを特徴とする請求項１記載の放送受信装置。
【請求項１３】
テレビ放送を受信するテレビ放送受信手段と、
ラジオ放送を受信するラジオ放送受信手段と、
を更に設け、前記テレビ放送受信手段、ラジオ放送受信手段のうちその一方は第１の放送を受信し、他方は第２の放送を受信する、
ようにしたことを特徴とする請求項１記載の放送受信装置。
【請求項１４】
コンピュータに対して、
第１の放送の番組を示す番組情報を取得する機能と、
第２の放送の番組を示す番組情報を取得する機能と、
前記取得した第１の放送の番組を示す番組情報からキーワードを指定する機能と、
前記指定されたキーワードを参照し、前記取得した第２の放送の番組を示す番組情報の中から当該キーワードに該当する番組情報を抽出する機能と、
前記抽出された番組情報で示される番組の放送を受信するように放送受信の制御を行う機能と、
を実現させるためのプログラム。
【発明の詳細な説明】
【技術分野】
【０００１】
この発明は、放送を受信するほか、その放送の番組を示す番組情報を取得可能な放送受信装置及びプログラムに関する。
【背景技術】
【０００２】
一般に、デジタルテレビ放送を受信可能なテレビ放送受信装置では、その放送信号のデジタル化に伴って高精細画質、高音質での視聴が可能であるほか、その番組に関する番組情報を任意に取得可能となっている。また、デジタルラジオ放送を受信可能なラジオ放送受信装置においても、その放送信号のデジタル化に伴ってラジオ番組情報を任意に取得可能となっている。
【０００３】
従来、このようにデジタル放送を受信可能なデジタル放送受信装置においては、例えば、ユーザ操作によって“番組名”、“出演者名”、“曲名”などがキーワードとして任意に指定されると、テレビ番組情報の中から当該指定キーワードを含む番組を検索し、その番組情報を予約情報として記録するようにした技術が知られている（特許文献１参照）。
【特許文献１】特開２００６−３２４７７７号公報
【発明の開示】
【発明が解決しようとする課題】
【０００４】
ところで、デジタルテレビ放送のほか、デジタルラジオ放送を受信可能なデジタル放送受信装置においては、例えば、ラジオ番組で放送されている音楽が気に入って、その曲の歌手が出演しているテレビ番組を視聴したいと思っても、そのテレビ番組を探し出して視聴するまでに相当煩雑な操作を必要としていた。すなわち、ユーザは、ラジオ番組情報を取得してその中から現在放送中の歌手は誰なのかを確認したのち、テレビ番組情報を取得し、その中からその歌手が出演している番組を探し出してそのチャンネルに切替えたり、出演予定の番組を探し出して録画予約したりする必要があった。
【０００５】
同様に、例えば、テレビ放送で好みのスポーツ選手が活躍したことを知ったときに、その選手が出演しているラジオ番組を聴きたいと思っても、ラジオ番組を聴けるようになるまでは、相当煩雑な操作を必要としていた。このことは、ラジオ放送からテレビ放送に移行する場合、あるいはテレビ放送からラジオ放送に移行する場合に限らず、複数のテレビ局のチャンネル同士あるいはラジオ局の周波数同士の間でも同様の問題が起きていた。
【０００６】
この発明の課題は、複数の放送がそれらの番組情報を介して連携し合うことで、その一方の放送を基にそれに関連する他方の放送を受信できるようにすることである。
【課題を解決するための手段】
【０００７】
請求項１記載の発明（第１の発明）は、放送を受信するほか、その放送の番組を示す番組情報を取得可能な放送受信装置であって、第１の放送の番組を示す番組情報を取得する第１の取得手段と、第２の放送の番組を示す番組情報を取得する第２の取得手段と、前記第１の取得手段で取得した番組情報からキーワードを指定する指定手段と、この指定手段によって指定されたキーワードを参照し、前記第２の取得手段で取得した番組情報の中から当該キーワードに該当する番組情報を抽出する抽出手段と、この抽出手段によって抽出された番組情報で示される番組の放送を受信するように放送受信の制御を行う受信制御手段とを具備したことを特徴とする。
更に、コンピュータに対して、上述した請求項１記載の発明に示した主要機能を実現させるためのプログラムを提供する（請求項１４記載の発明）。
【０００８】
なお、上述した請求項１記載の発明は次のようなものであってもよい。
前記抽出手段によって抽出された番組情報で示される番組の放送を受信した場合に、この番組を出力する出力手段を更に設ける（請求項２記載の発明）。
【０００９】
前記抽出手段によって抽出された番組情報で示される番組の放送を受信した場合に、この番組を記録する記録手段を更に設ける（請求項３記載の発明）。
【００１０】
前記抽出手段によって抽出された番組情報に基づいて予約情報を生成する生成手段と、この生成手段によって生成された予約情報を記憶する予約記憶手段とを更に設け、前記受信制御手段は、前記予約記憶手段に記憶されている予約情報に基づいてその予約日時に到達したことを検出した際に、当該予約情報で示される番組の放送の受信を指示する（請求項４記載の発明）。
【００１１】
請求項４記載の発明において、前記予約情報で示される番組の放送を受信した場合に、この番組を出力する出力手段を更に設けるようにしてもよい（請求項５記載の発明）。また、前記予約情報で示される番組の放送を受信した場合に、この番組を記録する記録手段を更に設けるようにしてもよい（請求項６記載の発明）。
【００１２】
前記受信制御手段は、前記抽出手段によって抽出された番組情報のうち、現在放送中の番組を示す番組情報を特定してその番組の放送の受信を指示する（請求項７記載の発明）。
【００１３】
前記受信制御手段は、前記抽出手段によって抽出された番組情報のうち、当該番組情報が示す放送番組の放送予定日時と現在日時とを比較することによって直近に放送予定の番組を示す番組情報を特定してその番組の放送の受信を指示する（請求項８記載の発明）。
【００１４】
前記第１の取得手段、第２の取得手段のうち、少なくともそのいずれか一方は、放送の番組を示す番組情報を取得する際に、その放送信号に重畳されている当該番組情報を取得する（請求項９記載の発明）。
【００１５】
前記第１の取得手段、第２の取得手段のうち、少なくともそのいずれか一方は、放送の番組を示す番組情報を取得する際に、通信ネットワークを介して当該番組情報を受信取得する（請求項１０記載の発明）。
【００１６】
前記指定手段は、前記第１の取得手段で取得した番組情報の中からユーザ操作に応じて任意のキーワードを指定する（請求項１１記載の発明）。
【００１７】
前記第１の放送の番組を出力している状態において、この番組内のオブジェクトがユーザ操作によって選択された際に、前記指定手段は、当該選択オブジェクトに関連した番組情報を前記キーワードとして指定する（請求項１２記載の発明）。
【００１８】
テレビ放送を受信するテレビ放送受信手段と、ラジオ放送を受信するラジオ放送受信手段と、を更に設け、前記テレビ放送受信手段、ラジオ放送受信手段のうちその一方は第１の放送を受信し、他方は第２の放送を受信する（請求項１３記載の発明）。
【発明の効果】
【００１９】
この発明は、複数の放送がそれらの番組情報を介して連携し合うことで、煩雑な操作を要求せずに、その一方の放送を基にそれに関連する他方の放送を受信することができる。
【発明を実施するための最良の形態】
【００２０】
以下、図１〜図９を参照して本発明の実施例を説明する。
この実施例は、携帯端末装置として携帯電話装置に適用した場合を例示したもので、図１は、携帯電話装置の通信ネットワークシステムを示したブロック図である。
携帯電話装置１は、例えば、２つの筐体（操作部筐体、表示部筐体）が開閉可能に取り付けられた折り畳み自在なもので、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能と、デジタルラジオ放送（例えば、サンセグ地上デジタルラジオ放送）を受信可能なラジオ放送受信機能と、番組の録画予約などを行う予約機能と、録画された番組の内容を再生出力する再生機能などが備えられている。
【００２１】
携帯電話装置１は、テレビ局２から発信された地上デジタルテレビ放送を最寄りの送信基地局３を経由して受信すると、この放送の番組を映像データ、音声データなどに分離して出力したり、受信した放送の番組を記録したりする。また、携帯電話装置１は、ラジオ局４から発信された地上デジタルラジオ放送を最寄りの送信基地局５を経由して受信すると、この放送の番組を音声出力したり、受信した放送の番組を記録したりする。このようにテレビ局２、ラジオ局４から基地局３、５を経由して放送を受信するほか、携帯電話装置１は、無線通信網（公衆移動体通信網）６を構成する最寄りの基地局６Ａ、交換機６Ｂを介してインターネット７に接続されており、この無線通信網６、インターネット７を介してテレビ番組情報サーバ８あるいはラジオ番組情報サーバ９からデジタルテレビ放送あるいはデジタルラジオ放送を受信することもできる。また、テレビ放送に関する番組情報、ラジオ放送に関する番組情報は、放送受信時にテレビ放送信号／ラジオ放送信号に重畳されている番組情報をその放送信号から分離して取得するようにしてもよく、また、無線通信網６、インターネット７を介してテレビ番組情報サーバ８あるいはラジオ番組情報サーバ９から番組情報を受信取得するようにしてもよい。
【００２２】
ここで、「番組情報」とは、一般的な放送種目を意味する場合に限らず、ＣＭ（コマーシャル）放送であってもよく、次の各種のデータを有する構成となっている。すなわち、「番組情報」は、現在放送中の番組に関する情報に限らず、番組表全体あるいは番組表の中から抽出した複数番組の情報であり、例えば、“テレビ局チャンネル／ラジオ局周波数（以下、チャンネル／周波数と呼称する）”、“放送日時”、“放送内容（例えば、番組名、ジャンル、出演者名、歌手名、曲名、商品名、ブランド名、価格など）”の各データを有する構成となっている。
【００２３】
携帯電話装置１は、第１の放送（例えば、テレビ放送あるいはラジオ放送）の番組を示す番組情報を取得するほか、第２の放送（例えば、第１の放送がテレビ放送であればラジオ放送、第１の放送がラジオ放送であればテレビ放送）の番組を示す番組情報を取得する。そして、携帯電話装置１は、第１の放送の番組を示す番組情報から任意のキーワードがユーザ指定されると、第２の放送の番組を示す番組情報の中から指定キーワードに該当する番組情報を抽出して、その番組の放送を受信するようにしている。
【００２４】
すなわち、携帯電話装置１は、第１の放送としてのテレビ放送の視聴中にそのテレビ番組情報を取得して出力すると共に、ユーザ操作によって任意の“番組名”、“出演者名”、“曲名”などがキーワードとして任意に指定されると、第２の放送としてのラジオ放送の番組情報を取得して、このラジオ番組情報の中から当該キーワードが含まれている番組情報を抽出したのち、このラジオ番組情報で示される番組の放送を受信して番組を出力したり、番組を記録（録音）したりするようにしている。
【００２５】
逆に、第１の放送としてのラジオ放送を聴いている際にそのラジオ番組情報を取得して出力すると共に、ユーザ操作によって任意の“番組名”、“出演者名”、“曲名”などがキーワードとして任意に指定されると、第２の放送としてのテレビ放送の番組情報を取得して、このテレビ番組情報の中から当該キーワードが含まれている番組情報を抽出したのち、このテレビ番組情報で示される番組の放送を受信して番組を出力したり、番組を記録（録画）したりするようにしている。なお、テレビ放送の「録画」とは録音を含むことを意味している。
【００２６】
図２は、携帯電話装置１の基本的な構成要素を示したブロック図である。
中央制御部１１は、ＲＯＭ１２内の各種のプログラムに応じてこの携帯電話装置１の全体動作を制御する。ＲＯＭ１２のプログラム領域には、後述する図５〜図９に示す動作手順に応じて本実施例を実現するためのプログラムが格納されている。ＲＡＭ１３は、例えば、ワーク領域を有する内部メモリで、後述する予約情報記憶部Ｍ１、記録データ記憶部Ｍ２などが設けられている。なお、ＲＡＭ１３の内容は、必要に応じて不揮発性メモリ（例えば、フラッシュメモリ）にセーブされる。
【００２７】
無線通信送受信部１４は、アンテナに接続された送受信部（ベースバンド部）の受信側から信号を取り込んで受信ベースバンド信号に復調したのちに、音声信号処理部１５を介して受話スピーカ１６から音声出力させる。また、無線通信送受信部１４は、送話マイク１７から入力された音声データを音声信号処理部１５から取り込み、送信ベースバンド信号に符号化したのちに送受信部の送信側に与えられてアンテナから送信出力させる。一方、電子メール機能、インターネット接続機能、テレビ受信機能によって無線通信送受信部１４を介して受信取得した表示データは、表示部１８に与えられて表示出力される。
【００２８】
操作部１９は、ダイヤル入力、文字入力、コマンド入力などを行うもので、テレビ放送の受信開始／終了を指示するテレビＯＮ／ＯＦＦ（オン／オフ）キー、ラジオ放送の受信開始／終了を指示するラジオＯＮ／ＯＦＦキー、テレビ番組／ラジオ番組を録画／録音予約する際に使用される予約キー、記録された番組の再生を指示する再生キーなどが設けられており、中央制御部１１は、操作部１９からの入力信号に応じた処理を実行する。ＲＴＣ（リアルタイムクロックモジュール）２０は、年月日時分秒の現在日時を計数する時計部を構成するもので、中央制御部１１は、ＲＴＣ２０から現在日時を取得する。
【００２９】
テレビ放送・ラジオ放送受信部２１は、テレビ放送受信部とラジオ放送受信部とを有し、それらを個別に起動可能な構成で、携帯電話などの携帯端末装置向けの地上波デジタルテレビ放送及び地上波デジタルラジオ放送と共に、電子番組表（ＥＰＧ）などの番組情報も含めて受信可能となっている。テレビ放送・ラジオ放送受信部２１は、専用アンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。ここで、受信したテレビ映像データ及び文字データは、表示部１８から表示出力され、また、テレビ音声あるいはラジオ音声データは、音声信号処理部１５を介してサウンドスピーカ２２から出力される。
【００３０】
図３は、予約情報記憶部Ｍ１の内容を説明するための図である。
予約情報記憶部Ｍ１は、テレビ放送予約情報／ラジオ放送予約情報をその予約日時順に順次記憶するもので、「予約ＩＤ」、「種別」、「チャンネル／周波数」、「日時情報」、「出力フラグ」、「記録フラグ」の各項目を有する構成となっている。この各予約情報（予約レコード）は、ユーザ操作によって予め任意に設定されたもので、その「予約ＩＤ」は、各予約情報を特定する一連Ｎｏである。「種別」は、テレビ放送に関する予約かラジオ放送に関する予約かを示し、「チャンネル／周波数」、「日時情報」は、予約番組を特定する具体的な予約内容を示している。なお、「日時情報」は、放送日時（予約日時）を示す年月日時分（例えば、２００８年１０月０１日１０時００分〜１２時００分）のデータである。「出力フラグ」は、予約日時に予約番組を出力するか否かを示す出力予約フラグであり、「記録フラグ」は、予約日時に予約番組を記録するか否かを示す録画／録音予約フラグである。
【００３１】
図４は、記録データ記憶部Ｍ２の内容を説明するための図である。
記録データ記憶部Ｍ２は、テレビ放送／ラジオ放送の受信時にユーザ操作によって録画／録音が指示された際に、あるいは予約情報記憶部Ｍ１の内容に基づいて録画／録音を実行した際に、この録画動作／録音動作に応じて記録された番組データを保持するもので、「記録ＩＤ」、「種別」、「チャンネル／周波数」、「日時情報」、「映像・音声データ」の各項目を有している。「記録ＩＤ」、「種別」、「チャンネル／周波数」、「日時情報」は、上述した予約情報記憶部Ｍ１と基本的に同様であり、「映像・音声データ」は、記録された番組データ（実データ）を示している。なお、この「映像・音声データ（実データ）」をファイル化して別個に記憶管理しておき、記録データ記憶部Ｍ２には当該記録ファイルのリンク情報（例えば、ファイル名）を記憶するようにしてもよい。
【００３２】
次に、この実施例における携帯電話装置の動作概念を図５〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３３】
図５は、電源投入に伴って実行開始される携帯電話装置の全体動作のうち特徴的な部分を示したフローチャートである。
先ず、中央制御部１１は、電源投入（電源ＯＮ）されると（ステップＡ１）、無線送受信部１４を作動させて無線通信網２を介して位置登録応答を行うほか、所定の待受画像を読み出して表示出力させながら電話／メールを待ち受ける待受状態となる（ステップＡ２）。この待受状態において、中央制御部１１は、テレビ放送の受信開始を指示するテレビＯＮ操作（テレビ放送受信操作）が行われたかをチェックしたり（ステップＡ３）、ラジオ放送の受信開始を指示するラジオＯＮ操作（ラジオ放送受信操作）が行われたかをチェックしたりする（ステップＡ５）。
【００３４】
いま、テレビ放送受信操作が行われたときには（ステップＡ３でＹＥＳ）、「テレビ→ラジオ処理」の実行に移る（ステップＡ４）。なお、この「テレビ→ラジオ処理」は、後述するが、テレビ放送番組の視聴中にその番組に関連するラジオ放送の番組情報を任意に確認可能な処理である。また、ラジオ放送受信操作が行われたときには（ステップＡ５でＹＥＳ）、「ラジオ→テレビ処理」の実行に移る（ステップＡ６）。なお、この「ラジオ→テレビ処理」は、後述するが、ラジオ放送番組を聴いているときにその番組に関連するテレビ放送の番組情報を任意に確認可能な処理である。
【００３５】
また、ＲＴＣ２０の現在時刻が更新される毎（１分桁が更新される“００秒”毎）に（ステップＡ７でＹＥＳ）、「予約出力・記録処理」を実行する（ステップＡ８）。なお、この「予約出力・記録処理」は、後述するが、予約情報に基づいてテレビ番組／ラジオ番組を記録データ記憶部Ｍ２に記録したり、表示部１８やサウンドスピーカ２２から出力したりする処理である。また、再生操作が行われたときには（ステップＡ９でＹＥＳ）、記録データ記憶部Ｍ２をアクセスし、ユーザ操作によって任意に選択された再生対象の番組（記録データ）を読み出して（ステップＡ１０）、再生出力させる（ステップＡ１１）。
【００３６】
更に、電源オフ操作が行われたかときには（ステップＡ１２でＹＥＳ）、サスペンドなどの電源オフ処理を実行するが（ステップＡ１３）、その他の操作が行われたときには（ステップＡ１４でＹＥＳ）、例えば、電話発信処理、メール作成・送信処理、電話着信処理、メール受信処理などを実行する（ステップＡ１５）。そして、上述のステップＡ３に戻り、以下、電源が“ＯＦＦ”されるまで上述の操作に応じた処理、時刻更新に応じた処理を実行する。
【００３７】
図６は、テレビ→ラジオ処理（図５のステップＡ４）を詳述するためのフローチャートである。
先ず、中央制御部１１は、テレビ放送受信操作に応答してテレビ放送・ラジオ放送受信部２１を起動してテレビ放送の受信を開始すると共に（ステップＢ１）、受信したテレビ放送の番組（テレビ番組）を取り込み、その映像データを表示部１８のテレビ画面から出力させると共に、音声データをサウンドスピーカ２２から出力させる（ステップＢ２）。そして、現在視聴中（受信出力中）のテレビ番組に関する番組情報（例えば、番組名、ジャンル、出演者名など）を取得する（ステップＢ３）。
【００３８】
ここで、携帯電話装置１は、無線通信網６、インターネット７を経由してテレビ番組情報サーバ８からテレビ番組情報を取得するときには、番組情報の送信要求と共に現在選局されているチャンネル情報を当該サーバ８宛に送信し、これに応答してテレビ番組情報サーバ８から無線通信網６、インターネット７を介して送信されてきたテレビ番組情報を受信取得する。また、携帯電話装置１は、テレビ放送・ラジオ放送受信部２１から現在受信中のテレビ放送信号を受信した場合に、このテレビ放送信号に重畳されている番組情報をその放送信号から分離して取得するようにしてもよい。
【００３９】
なお、テレビ放送の受信出力に応答してテレビ番組情報を取得する場合に限らず、例えば、１日に１回あるいは１週間に１回のように、予め定期的にテレビ番組情報（番組表）を受信取得して記憶管理している場合には、現在選局されているチャンネルで放送されている番組を調べ、その番組に関する番組情報を当該番組表から読み出して取得するようにしてもよい。また、現在視聴中のテレビ放送がＣＭ放送であれば、つまり、ＣＭ放送中にテレビ放送受信操作が行われたときには、そのＣＭに関する情報（ブランド名、商品名、価格など）をテレビ番組情報として取得する。このようにしてテレビ番組情報を取得すると、中央制御部１１は、表示部１８のテレビ画面内の隅部にウインドウを開き、このウインドウ内に現在視聴中の番組情報を表示させる（ステップＢ４）。この状態において、当該ウインドウ内の番組情報の中から所望する情報をキーワードとして指定する処理に移る（ステップＢ５）。
【００４０】
図７は、キーワード指定処理（図６のステップＢ５）を詳述するためのフローチャートである。
先ず、中央制御部１１は、テレビ画面のウインドウ内に一覧表示されている番組情報、例えば、“番組名”、“ジャンル”、“出演者名”などの中から任意の情報をキーワードとして指定する指定操作が行われたかをチェックする（ステップＣ１）。この場合、ウインドウ内のカーソルを移動させるカーソル操作を行うことで任意の情報をキーワードとして選択指定するようにしてもよい。いま、キーワード指定操作が行われなかったときには（ステップＣ１でＮＯ）、テレビ番組内のオブジェクトを選択する選択操作が行われたかをチェックする（ステップＣ３）。この場合、タッチパネル式のテレビ画面に映っている出演者などを直接タッチ指定したり、曲が流れているときに所定キーを操作したりすることによって所望するオブジェクトを選択するようにしてもよい。
【００４１】
いま、キーワード指定操作が行われたときには（ステップＣ１でＹＥＳ）、該指定情報をキーワードとして取り込むが（ステップＣ２）、オブジェクト選択操作が行われたときには（ステップＣ３でＹＥＳ）、図６のステップＢ３で取得した番組情報の中から選択オブジェクトに関連する情報を抽出してリスト出力させる（ステップＣ４）。例えば、テレビ画面に映っている歌手がオブジェクトとして選択された場合には、その“名前”、“曲名”、“所属先”などがリスト表示され、また、ＣＭ放送中の場合にその商品画像がオブジェクトとして選択された場合には、その“ブランド名”、“商品名”、“価格”などがリスト表示される。このリストの中から任意の情報をキーワードとして指定する指定操作が行われると（ステップＣ５）、当該情報をキーワードとして取り込む（ステップＣ２）。
【００４２】
このようにして所望するキーワードを指定する処理が終わると、図６のステップＢ６に移り、ラジオ番組情報を取得するが、その際、番組表の送信要求を行い、これに応答してラジオ番組情報（番組表）を無線通信網６、インターネット７を介してラジオ番組情報サーバ９から受信取得するか、ラジオ局を順次自動選局しながら各局の放送信号に重畳されている番組情報をその放送信号から分離して取得する。なお、上述のようにキーワード指定に応答してラジオ番組情報を取得する場合に限らず、例えば、１日に１回あるいは１週間に１回のように、予め定期的にラジオ番組情報（番組表）を受信取得して記憶管理している場合には、このラジオ番組情報（番組表）を読み出し取得するようにしてもよい。
【００４３】
そして、上述のようにして取得したラジオ番組情報と指定キーワードとを比較しながらラジオ番組情報の中に指定キーワードが含まれているか否かを調べ、指定キーワードが含まれていれば、それに該当する全ての番組情報を抽出する（ステップＢ７）。例えば、指定キーワードが歌手であれば、その歌手が出演する番組を検索してその番組情報を抽出する。そして、この番組情報をリスト出力させたのち（ステップＢ８）、「ラジオ受信・出力・予約処理」の実行に移る（ステップＢ９）。
【００４４】
図８は、ラジオ受信・出力・予約処理（図６のステップＢ９）を詳述するためのフローチャートである。
先ず、中央制御部１１は、上述のステップＢ７で抽出されたラジオ番組情報の数を計数して複数か否かを調べ（ステップＤ１）、複数のラジオ番組情報が抽出されていれば、そのリストの中から所望する１つの番組情報を選択する操作が行われるまで待機する（ステップＤ２）。この場合、抽出されたラジオ番組情報が１つであれば、その番組情報を受信対象として特定するが、複数であれば、その中からユーザ操作によって任意に選択された番組情報を受信対象として特定して案内表示する（ステップＤ３）。この案内画面は、受信対象番組の放送予定日時とその番組名を案内表示するもので、それを確認したユーザは、番組の重要性、放送予定日時などを考慮して以下の操作を選択的に行うことができる。
【００４５】
この場合、中央制御部１１は、受信対象として特定されたラジオ番組の出力を指示する出力操作が行われたか（ステップＤ４）、ラジオ番組の出力とその記録を指示する出力＆記録操作が行われたか（ステップＤ７）、ラジオ番組の記録を指示する記録操作が行われたか（ステップＤ１１）、ラジオ番組を予約情報として記憶することを指示する予約情報記憶操作が行われたかを調べる（ステップＤ１４）。
【００４６】
いま、出力操作が行われたときには（ステップＤ４でＹＥＳ）、テレビ放送・ラジオ放送受信部２１を起動し、上述のように特定したラジオ番組情報（指定キーワードに基づいて抽出されたラジオ番組情報）に基づいてそのラジオ局を選局して当該番組の放送を受信したのち（ステップＤ５）、そのラジオ番組を出力させる（ステップＤ６）。また、出力＆記録操作が行われたときには（ステップＤ７でＹＥＳ）、上述の場合と同様に、特定したラジオ番組情報に基づいて当該番組の放送を受信して（ステップＤ８）、そのラジオ番組を出力させたのち（ステップＤ９）、ラジオ番組を記録データ記憶部Ｍ２に記録する（ステップＤ１０）。この場合、記録データの「種別」として“ラジオ”、「チャンネル／周波数」としてラジオ局周波数がセットされる。
【００４７】
また、記録操作が行われたときには（ステップＤ１１でＹＥＳ）、上述の場合と同様に、特定したラジオ番組情報に基づいて当該番組の放送を受信して（ステップＤ１２）、このラジオ番組を記録データ記憶部Ｍ２に記録する（ステップＤ１３）。この場合においても、記録データの「種別」として“ラジオ”、「チャンネル／周波数」としてラジオ局周波数がセットされる。また、予約情報記憶操作が行われたときには（ステップＤ１４でＹＥＳ）、上述の場合と同様に、特定したラジオ番組情報から予約情報を生成して予約情報記憶部Ｍ１に記憶する（ステップＤ１５）。
【００４８】
この場合、予約情報の「種別」として“ラジオ”、また、「チャンネル／周波数」としてラジオ局の周波数がセットされる。また、予約日時に予約番組を出力する「視聴予約」を指定するときには、「出力フラグ」をセットしておく。また、予約日時に予約番組を記録する「記録予約（録画／録音予約）」を指定するときには、「記録フラグ」をセットしておく。なお、「出力フラグ」、「記録フラグ」のいずれか一方をセットする場合に限らず、その両方をセットするようにしてもよい。
【００４９】
また、上述したいずれの操作も行われなかったときには（ステップＤ１４でＮＯ）、このフローから抜ける。なお、上述した各操作は、「ラジオ受信・出力・予約処理」時に行わず、事前に操作しておいてもよい。すなわち、出力操作、出力＆記録操作、記録操作、予約情報記憶操作のいずれが事前に行われているかを示す事前操作情報を記憶しておき、この事前操作情報をラジオ受信・出力・予約処理時に参照しながら操作対応の処理を実行するようにしてもよい。
【００５０】
なお、ラジオ→テレビ処理（図５のステップＡ６）は、上述したテレビ→ラジオ処理（図５のステップＡ４）と基本的には同様であるため、その詳細なフローチャートを図示省略したが、「ラジオ→テレビ処理」の場合には、図６のフローチャートにおいて“テレビ”と“ラジオ”との関係が逆となる。すなわち、ラジオ放送を受信し、このラジオ番組を出力したのち、ラジオ番組情報を取得して出力する。そして、キーワード指定処理を実行したのち、テレビ番組情報を取得し、このテレビ番組情報の中から指定キーワードが含まれているテレビ番組情報を抽出して出力する。そして、抽出したテレビ番組情報に基づいて「テレビ受信・出力・予約処理」を実行すればよい。なお、「テレビ受信・出力・予約処理」も図８のフローと基本的には同様の処理であるため、その詳細なフローチャートを図示省略したが、この場合においても、図８の“ラジオ”を“テレビ”に置き換えればよい。
【００５１】
図９は、予約出力・記録処理（図５のステップＡ８）を詳述するためのフローチャートである。
先ず、中央制御部１１は、ＲＴＣ２０の現在時刻が更新される毎（１分桁が更新される“００秒”毎）に、ＲＴＣ２０から現在日時を取得し（ステップＥ１）、この現在日時と記録データ記憶部Ｍ２内の「日時情報（予約日時）」とを順次比較し（ステップＥ２）、現在日時に該当する予約日時の有無をチェックする（ステップＥ３）。その結果、いずれの予約日時にも達していなければ（ステップＥ３でＮＯ）、このフローの終了となるが、いずれかの予約日時に達したときには、その予約情報を読み出し（ステップＥ４）、その「種別」を参照してテレビ放送に関する予約であるかを調べる（ステップＥ５）。
【００５２】
いま、「種別」として“テレビ”がセットされている場合、つまり、テレビ放送に関する予約である場合には（ステップＥ５でＹＥＳ）、テレビ放送・ラジオ放送受信部２１を起動し、その予約情報内の「チャンネル／周波数」に基づいてそのテレビ局を選局して当該番組の放送を受信する（ステップＥ６）。そして、予約情報内の「出力フラグ」を参照してそのセット有無を調べ（ステップＥ７）、「出力フラグ」がセットされていることを条件に、受信放送の番組を出力させる（ステップＥ８）。また、予約情報内の「記録フラグ」を参照してそのセット有無を調べ（ステップＥ９）、「記録フラグ」がセットされていることを条件に、受信放送の番組を記録データ記憶部Ｍ２に記録する（ステップＥ１０）。
【００５３】
また、「種別」として“ラジオ”がセットされている場合、つまり、ラジオ放送に関する予約である場合には（ステップＥ５でＮＯ）、テレビ放送・ラジオ放送受信部２１を起動し、その予約情報内の「チャンネル／周波数」に基づいてそのラジオ局を選局して当該番組の放送を受信する（ステップＥ１１）。そして、予約情報内の「出力フラグ」を参照してそのセット有無を調べ（ステップＥ１２）、「出力フラグ」がセットされていることを条件に、受信放送の番組を出力させる（ステップＥ１３）。また、予約情報内の「記録フラグ」を参照してそのセット有無を調べ（ステップＥ１４）、「記録フラグ」がセットされていることを条件に、受信放送の番組を記録データ記憶部Ｍ２に記録する（ステップＥ１５）。なお、この記録データ記憶部Ｍ２の番組（記録データ）を再生するには、上述したように再生操作を行って再生処理を開始させればよい（図５のステップＡ９〜１１）。
【００５４】
以上のように、この実施例における携帯電話装置１は、テレビ放送・ラジオ放送受信部２１を備え、中央制御部１１は、第１の放送（例えば、テレビ放送あるいはラジオ放送）の番組を示す番組情報を取得するほか、第２の放送（例えば、第１の放送がテレビ放送であればラジオ放送、第１の放送がラジオ放送であればテレビ放送）の番組を示す番組情報を取得し、第１の放送の番組を示す番組情報からキーワードを指定し、第２の放送の番組を示す番組情報の中から指定キーワードに該当する番組情報を抽出して、その番組の放送を受信するようにしたので、テレビ放送とラジオ放送のように、複数の放送がそれらの番組情報を介して連携し合うことで、煩雑な操作を要求せずに、その一方の放送を基にそれに関連する他方の放送を受信することができる。
【００５５】
中央制御部１１は、第２の放送を受信した場合に、この放送の番組を出力するようにしたので、第１の放送の番組を視聴（ラジオ放送では聴く、以下、同様）できるほか、それに関連する第２の放送の番組をリアルタイム視聴することができ、その見逃し、聞き逃しを防ぐことが可能となる。
【００５６】
中央制御部１１は、第２の放送を受信した場合に、この放送の番組を記録するようにしたので、第１の放送の番組を視聴できるほか、それに関連する第２の放送の番組をリアルタイム視聴する場合に限らず、何時でも自由に再生視聴することができ、その見逃し、聞き逃しを防ぐことが可能となる。
【００５７】
中央制御部１１は、第２の放送の番組を示す番組情報の中から指定キーワードに基づいて抽出された番組情報から予約情報を生成して予約情報記憶部Ｍ１に記憶させたのち、その予約日時に到達したことを検出した際に、当該予約情報で示される番組の放送の受信を指示するようにしたから、第１の放送の番組と、それに関連する第２の放送の番組との放送日時が時間的に離れていても、第２の放送の番組を予約番組とすることができ、その見逃し、聞き逃しを防ぐことが可能となる。
【００５８】
この場合の番組予約としては、予約日時にその予約番組を出力する「視聴予約」、予約番組を記録する「録画／録音予約」のいずれか一方を指定できるほか、その両方を指定することもでき、ユーザの希望に応じることが可能となる。
【００５９】
テレビ放送、ラジオ放送の番組を示す番組情報を取得する際に、その放送信号に重畳されている当該番組情報を取得するようにしたので、無線通信網６、インターネット７に接続することができない環境下であっても番組情報を取得することが可能となる。
【００６０】
テレビ放送、ラジオ放送の番組を示す番組情報を取得する際に、無線通信網６、インターネット７を介して当該番組情報を受信取得するようにしたから、放送信号に番組情報が重畳されていない場合でも番組情報を取得することが可能となる。
【００６１】
第２の放送の番組を示す番組情報の中からユーザ操作によって任意に指定された指定キーワードに該当する番組情報を抽出してその番組の放送を受信するようにしたので、所望する番組の視聴が可能となる。
【００６２】
第１の放送の番組を出力している状態において、この番組内のオブジェクトがユーザ操作によって選択された際に、当該選択オブジェクトに関連した番組情報をキーワードとして指定するようにしたから、例えば、商品名、ブランド名、価格、歌手名、曲名、所属先などの所望するキーワードを容易に指定することができる。
【００６３】
なお、上述した実施例のラジオ受信・出力・予約処理（図８）は、指定キーワードが含まれている番組情報を抽出した結果、それが１つであれば、当該番組情報を受信対象として特定して案内表示し、複数であれば、その中からユーザ操作によって任意に選択された番組情報を受信対象として特定して案内表示したのち、“出力操作”、“出力＆記録操作”、“記録操作”、“予約情報記憶操作”に対応して、上述した出力処理（ステップＤ５、Ｄ６）、受信出力記録処理（ステップＤ８〜Ｄ１０）、受信記録処理（ステップＤ１２、Ｄ１３）、予約情報記憶処理（ステップＤ１５）を実行するようにしたが、図１０に示すように、特別な操作を行うことなく、受信出力記録処理、予約情報記録処理を実行するようにしてもよい。
【００６４】
図１０は、図８で示した「ラジオ受信・出力・予約処理」に対する変形応用例を示したフローチャートである。
先ず、中央制御部１１は、ＲＴＣ２０から現在日時を取得したのち（ステップＦ１）、上述のように指定キーワードによって抽出したラジオ番組情報の放送予定日時と現在日時とを比較することによって（ステップＦ２）、抽出したラジオ番組情報が示す番組の中に現在放送中のラジオ番組が含まれているか否かをチェックする（ステップＦ３）。
【００６５】
その結果、放送中の番組が存在していれば、テレビ放送・ラジオ放送受信部２１を起動してラジオ放送を受信し（ステップＦ４）、この番組を出力すると共に（ステップＦ５）、記録データ記憶部Ｍ２に記録する（ステップＦ６）。なお、このようにして自動開始された受信出力及び記録動作は、その番組の終了時刻を検出した際に終了となる。そして、現在放送中の番組以外の番組情報が存在していれば、その番組情報に基づいて予約情報を生成して予約情報記憶部Ｍ１に記憶する（ステップＦ７）。
【００６６】
一方、現在放送中のラジオ番組が無ければ（ステップＦ３でＮＯ）、ラジオ番組情報の放送予定日時と現在日時とを比較した結果、放送予定日時が現在日時に最も近い番組（直近に放送予定の番組）を特定する（ステップＦ８）。そして、その放送予定日時まで所定時間（例えば、１０分）未満か、つまり、直近の番組の放送日時が現在日時に比べて時間的に離れ過ぎているかを調べ（ステップＦ９）、放送予定日時まで１０分以上であれば（ステップＦ９でＮＯ）、ステップＦ７に移り、番組情報毎に予約情報を生成して予約情報記憶部Ｍ１に記憶する。
【００６７】
また、１０分未満であれば（ステップＦ９でＹＥＳ）、テレビ放送・ラジオ放送受信部２１を起動してラジオ放送を受信し（ステップＦ１０）、この番組を出力すると共に（ステップＦ１１）、記録データ記憶部Ｍ２に記録する（ステップＦ１２）。すなわち、当該番組が開始される前に、そのラジオ局にチューニングを合わせて受信出力及び記録動作を開始するようにしている。なお、自動開始された受信出力及び記録動作は、その番組の終了時刻を検出した際に終了となる。そして、直近の番組以外の番組情報が存在していれば、その番組情報に基づいて予約情報を生成して予約情報記憶部Ｍ１に記憶する（ステップＦ７）。
【００６８】
以上のように指定キーワードによって抽出したラジオ番組情報の放送予定日時と現在日時とを比較した結果、現在放送中の番組があれば、その番組の放送を受信して番組を出力したり、記録したりするようにしたので、テレビ放送の視聴中にそれに関連するラジオ番組を即座に聴くことができるほか、記録することができる。
【００６９】
また、指定キーワードによって抽出したラジオ番組情報の放送予定日時と現在日時とを比較した結果、直近に放送予定の番組を特定してその番組の放送を受信して番組を出力したり、記録したりするようにしたので、所望する番組が始まるまでの間に聴く準備を行うことができるほか、最初からその番組を聴くことができる。
【００７０】
なお、図１０は、「ラジオ受信・出力・予約処理」の変形応用例を示したが、「テレビ受信・出力・予約処理」についても図１０のフローと基本的に同様の処理であってもよい。この場合においても、図１０の“ラジオ”が“テレビ”となる。
【００７１】
また、上述した実施例においては、第１の放送（テレビ放送あるいはラジオ放送）、第２の放送（第１の放送がテレビ放送であればラジオ放送、第１の放送がラジオ放送であればテレビ放送）としたが、第１の放送と第２の放送は、テレビ放送とラジオ放送の関係に限らず、例えば、テレビ放送の第１のチャンネルと他のチャンネルとの関係であってもよく、また、ラジオ放送の第１の周波数と他の周波数との関係であってもよい。
【００７２】
その他、地上局から発信される地上デジタル放送に限らず、放送衛星からのデジタル放送を受信したり、通信ネットワークを介して配信されるデジタル放送を受信したりする場合であっても同様に適用可能である。
また、携帯電話装置に限らず、例えば、ＰＤＡ、電子カメラ、電子腕時計、音楽再生機などの携帯端末装置であっても同様に適用可能である。更に、携帯端末装置に限らず、据置き型のテレビ放送受信機能付のビデオ装置、テレビ受信機などであってもよい。
【図面の簡単な説明】
【００７３】
【図１】携帯電話装置１の通信ネットワークシステムを示したブロック図。
【図２】携帯電話装置１の基本的な構成要素を示したブロック図。
【図３】予約情報記憶部Ｍ１の内容を説明するための図。
【図４】記録データ記憶部Ｍ２の内容を説明するための図。
【図５】電源投入に伴って実行開始される携帯電話装置の全体動作のうち特徴的な部分を示したフローチャート。
【図６】テレビ→ラジオ処理（図５のステップＡ４）を詳述するためのフローチャート。
【図７】キーワード指定処理（図６のステップＢ５）を詳述するためのフローチャート。
【図８】ラジオ受信・出力・予約処理（図６のステップＢ９）を詳述するためのフローチャート。
【図９】予約出力・記録処理（図５のステップＡ８）を詳述するためのフローチャート。
【図１０】図８で示した「ラジオ受信・出力・予約処理」に対する変形応用例を示したフローチャート。
【符号の説明】
【００７４】
１  携帯電話装置
２  テレビ局
３、５  送信基地局
４  ラジオ局
６  無線通信網
７  インターネット
８  テレビ番組情報サーバ
９  ラジオ番組情報サーバ
１１  中央制御部
１２  ＲＯＭ
１３  ＲＡＭ
１４  無線通信送受信部
１８  表示部
２０  ＲＴＣ
２１  テレビ放送・ラジオ放送受信部
２２  サウンドスピーカ
Ｍ１  予約情報記憶部
Ｍ２  記録データ記憶部
【図１】
2008227774.tif 000003
【図２】
2008227774.tif 000004
【図３】
2008227774.tif 000005
【図４】
2008227774.tif 000006
【図５】
2008227774.tif 000007
【図６】
2008227774.tif 000008
【図７】
2008227774.tif 000009
【図８】
2008227774.tif 000010
【図９】
2008227774.tif 000011
【図１０】
2008227774.tif 000012